(57)【要約】【課題】ユーザの端末装置の把持状態に基づき、ユーザからの音声操作の受付を制御する。【解決手段】表示部１５と、表示部１５に設置されたタッチセンサへのユーザからのタッチ操作を検出するタッチ操作検出部１１と、ユーザからの音声操作を受け付ける音声操作受付部１２と、タッチ操作および音声操作に基づく処理を実行する制御部１４と、を備える端末装置１００であって、ユーザによる端末装置１００の把持状態を検出する把持状態検出部１３を備え、制御部１４は、ユーザによる端末装置１００の把持状態に基づいて、音声操作受付部１２によるユーザからの音声操作の受け付けを制御することを特徴とする端末装置１００。【選択図】図２
2015191448.tif 000002
【特許請求の範囲】
【請求項１】
表示部と、
前記表示部に設置されたタッチセンサへのユーザからのタッチ操作を検出するタッチ操作検出部と、
ユーザからの音声操作を受け付ける音声操作受付部と、
前記タッチ操作および前記音声操作に基づく処理を実行する制御部と、
を備える端末装置であって、
ユーザによる当該端末装置の把持状態を検出する把持状態検出部を備え、
前記制御部は、前記ユーザによる当該端末装置の把持状態に基づいて、前記音声操作受付部によるユーザからの音声操作の受け付けを制御することを特徴とする端末装置。
【請求項２】
前記制御部は、
ユーザが当該端末装置を両手で把持している状態と検出された場合、ユーザからの音声操作を受け付ける様に前記音声操作受付部を制御し、
ユーザが当該端末装置を両手で把持していない状態と検出された場合、ユーザからの音声操作を受け付けない様に前記音声操作受付部を制御する、
ことを特徴とする請求項１記載の端末装置。
【請求項３】
表示部と、
前記表示部に設置されたタッチセンサへのユーザからのタッチ操作を検出するタッチ操作検出部と、
ユーザからの音声操作を受け付ける音声操作受付部と、
前記タッチ操作および前記音声操作に基づく処理を実行する制御部と、
を備える端末装置であって、
当該端末装置と外部装置との接続状態を検出する接続状態検出部を備え、
前記制御部は、当該端末装置の接続状態に基づいて、前記音声操作受付部によるユーザからの音声操作の受け付けを制御することを特徴とする端末装置。
【請求項４】
前記制御部は、
当該端末装置と外部装置とが接続されている状態と検出された場合、ユーザからの音声操作を受け付ける様に前記音声操作受付部を制御し、
当該端末装置と外部装置とが接続されていない状態と検出された場合、ユーザからの音声操作を受け付けない様に前記音声操作受付部を制御する、
ことを特徴とする請求項３記載の端末装置。
【請求項５】
表示部と、
前記表示部に設置されたタッチセンサへのユーザからのタッチ操作を検出するタッチ操作検出部と、
ユーザからの音声操作を受け付ける音声操作受付部と、
前記タッチ操作および前記音声操作に基づく処理を実行する制御部と、
を備える端末装置であって、
当該端末装置とユーザとの距離を算出する距離算出部を備え、
前記制御部は、当該端末装置とユーザとの距離に基づいて、前記音声操作受付部によるユーザからの音声操作の受け付けを制御することを特徴とする端末装置。
【請求項６】
前記制御部は、
当該端末装置とユーザとが所定の距離以上離れていると算出された場合、ユーザからの音声操作を受け付ける様に前記音声操作受付部を制御し、
当該端末装置とユーザとが所定の距離以上離れていないと算出された場合、ユーザからの音声操作を受け付けない様に前記音声操作受付部を制御する、
ことを特徴とする請求項５記載の端末装置。
【請求項７】
表示部に設置されたタッチセンサへのユーザからのタッチ操作を検出するステップと、
ユーザからの音声操作を受け付けるステップと、
前記タッチ操作および前記音声操作に基づく処理を実行するステップと、
を備える端末装置における音声操作制御方法であって、
ユーザによる当該端末装置の把持状態を検出するステップを備え、
前記ユーザによる当該端末装置の把持状態に基づいて、ユーザからの音声操作の受け付けを制御することを特徴とする端末装置における音声操作制御方法。
【発明の詳細な説明】
【技術分野】
【０００１】
本開示は、端末装置および端末装置における音声操作制御方法に関するものである。
【背景技術】
【０００２】
特許文献１は、ユーザの音声を音声信号に変換する音声入力部と、音声入力部の角度を検出する角度検出部と、音声入力部とユーザとの距離を検出する距離検出部と、検出された角度及び距離に基いて、音声入力部のオンオフを制御する音声入力切替部とを備える音声入力装置を開示する。
【先行技術文献】
【特許文献】
【０００３】
【特許文献１】特開２０１０−２１７７５４号公報
【発明の概要】
【発明が解決しようとする課題】
【０００４】
本開示は、ユーザによる端末装置の把持状態に基づいて、ユーザからの音声操作の受け付けを制御することにより、ユーザが意図しない音声操作に基づく処理の実行を軽減しつつ、操作性・ユーザ利便性を向上することができる端末装置および端末装置における音声操作制御方法を提供する。
【課題を解決するための手段】
【０００５】
本開示の端末装置は、表示部と、前記表示部に設置されたタッチセンサへのユーザからのタッチ操作を検出するタッチ操作検出部と、ユーザからの音声操作を受け付ける音声操作受付部と、前記タッチ操作および前記音声操作に基づく処理を実行する制御部と、を備える端末装置であって、ユーザによる当該端末装置の把持状態を検出する把持状態検出部を備え、前記制御部は、前記ユーザによる当該端末装置の把持状態に基づいて、前記音声操作受付部によるユーザからの音声操作の受け付けを制御することを特徴とする。
【発明の効果】
【０００６】
本開示の端末装置および端末装置における音声操作制御方法によれば、ユーザによる端末装置の把持状態に基づいて、ユーザからの音声操作の受け付けを制御することにより、ユーザが意図しない音声操作に基づく処理の実行を軽減しつつ、操作性・ユーザ利便性を向上することができる。
【図面の簡単な説明】
【０００７】
【図１】実施の形態１に係る端末装置の構成を示すブロック図。
【図２】実施の形態１に係る端末装置の外観を示す図。
【図３】実施の形態１に係る端末装置の動作を説明するためのフローチャート。
【図４】実施の形態１に係る端末装置の使用イメージ（両手で把持）を示す図。
【図５】実施の形態１に係る端末装置の使用イメージ（片手で把持）を示す図。
【図６】実施の形態２に係る端末装置の構成を示すブロック図。
【図７】実施の形態２に係る端末装置が外部装置に接続された状態の外観（前面）を示す図。
【図８】実施の形態２に係る端末装置が外部装置から外された状態の外観（背面）を示す図。
【図９】実施の形態２に係る端末装置の動作を説明するためのフローチャート。
【図１０】実施の形態３に係る端末装置の構成を示すブロック図。
【図１１】実施の形態３に係る端末装置の外観および使用イメージを示す図。
【図１２】実施の形態３に係る端末装置の動作を説明するためのフローチャート。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
［１−１．構成］
図１は、実施の形態１に係る端末装置の構成を示すブロック図である。
【００１１】
図２は、実施の形態１に係る端末装置の外観を示す図である。
【００１２】
端末装置１００は、タッチ操作検出部１１、音声操作受付部１２、把持状態検出部１３、制御部１４、表示部１５を備える。
【００１３】
タッチ操作検出部１１は、例えば表示部１５に設置されたタッチセンサであり、ユーザからのタッチ操作を検出すると、タッチ操作に基づく操作コマンドを生成し、制御部１４に送信する。
【００１４】
音声操作受付部１２は、例えば端末装置１００の前面に配置されたマイクであり、ユーザからの音声操作を受け付けると、音声操作に基づく操作コマンドを生成し、制御部１４に送信する。
【００１５】
把持状態検出部１３は、例えば端末装置１００の両側面や上下面に設置されたタッチセンサであり、ユーザによる端末装置１００の把持状態、より具体的には、ユーザが端末装置１００を両手で把持している状態か、片手で把持している状態か、把持していない状態かを検出し、検出結果を制御部１４に送信する。
【００１６】
制御部１４は、端末装置１００の動作全体を制御する。制御部１４は、タッチ操作に基づき生成された操作コマンド、音声操作に基づき生成された操作コマンドに基づく処理を実行する。また、制御部１４は、把持状態検出部１３からのユーザによる端末装置１００の把持状態に基づいて、音声操作受付部１２によるユーザからの音声操作の受け付けを制御する。より具体的には、制御部１４は、ユーザが端末装置１００を両手で把持している状態と検出された場合、ユーザからの音声操作を受け付ける様に音声操作受付部１２を制御し、音声操作受付部１２がユーザからの音声操作を受け付けると、音声操作に基づき生成された操作コマンドを実行する。一方、制御部１４は、ユーザが端末装置１００を両手で把持していない状態（片手で把持している状態、または、把持していない状態）と検出された場合、ユーザからの音声操作を受け付けない様に音声操作受付部１２を制御する。
【００１７】
表示部１５は、例えば文字や画像を表示する機能を備えたディスプレイであり、制御部１４による処理の実行結果などを表示する。
【００１８】
［１−２．動作］
以上のように構成された端末装置１００について、その動作を以下に説明する。
【００１９】
図３は、実施の形態１に係る端末装置の動作を説明するためのフローチャートである。
【００２０】
把持状態検出部１３は、ユーザによる端末装置１００の把持状態、より具体的には、ユーザが端末装置１００を両手で把持している状態か、片手で把持している状態か、把持していない状態かを検出し、検出結果を制御部１４に送信する（ステップＳ３１）。
【００２１】
制御部１４は、把持状態検出部１３からのユーザによる端末装置１００の把持状態に基づいて、音声操作受付部１２によるユーザからの音声操作の受け付けを制御する。より具体的には、制御部１４は、ユーザが端末装置１００を両手で把持している状態と検出された場合（ステップＳ３２でＹｅｓ）、ユーザからの音声操作を受け付ける様に音声操作受付部１２を制御し（ステップＳ３３）、音声操作受付部１２がユーザからの音声操作を受け付けると、音声操作に基づき生成された操作コマンドを実行する。一方、制御部１４は、ユーザが端末装置１００を両手で把持していない状態と検出された場合（ステップＳ３２でＮｏ）、ユーザからの音声操作を受け付けない様に音声操作受付部１２を制御する（ステップＳ３４）。
【００２２】
図４は、実施の形態１に係る端末装置の使用イメージ（両手で把持）を示す図である。
【００２３】
図５は、実施の形態１に係る端末装置の使用イメージ（片手で把持）を示す図である。
【００２４】
図４に示すように、ユーザが端末装置１００を両手で把持している場合、左手が端末装置１００の左側側面のタッチセンサ（図示せず）に、右手が端末装置１００の右側側面のタッチセンサ（把持状態検出部１３）にそれぞれ接触する。この場合、把持状態検出部１３は、ユーザが端末装置１００を両手で把持している状態であると検出し、検出結果を制御部１４に送信する（ステップＳ３２でＹｅｓ）。
【００２５】
制御部１４は、ユーザが端末装置１００を両手で把持している場合、ユーザは手を使ってのタッチ操作検出部１１へのタッチ操作を行いにくい状態にあると判断するため、ユーザからの音声操作を受け付ける様に音声操作受付部１２を制御する（ステップＳ３３）。このとき、図４に示すように、表示部１５上に、音声操作を受け付け可能であることを示すアイコン１８を表示してもよい。
【００２６】
一方、図５に示すように、ユーザが端末装置１００を片手で把持している場合、左手が端末装置１００の左側側面のタッチセンサ（図示せず）に接触するが、右手は端末装置１００の右側側面のタッチセンサ（把持状態検出部１３）に接触しない。この場合、把持状態検出部１３は、ユーザが端末装置１００を片手で把持している状態であると検出し、検出結果を制御部１４に送信する（ステップＳ３２でＮｏ）。
【００２７】
制御部１４は、ユーザが端末装置１００を片手で把持している場合、ユーザはもう片方の手を使ってのタッチ操作検出部１１へのタッチ操作を容易に行える状態にあると判断するため、ユーザからの音声操作を受け付けない様に音声操作受付部１２を制御する（ステップＳ３４）。このとき、図５に示すように、表示部１５上には、音声操作を受付可能であることを示すアイコンは表示しない。
【００２８】
なお、本実施の形態における端末装置１００の動作の具体例としては、動画コンテンツの再生制御操作において、端末装置１００を片手で把持している場合には、もう片方の手によるタッチ操作で「再生」、「停止」などの再生制御を行い、端末装置１００を両手で把持している場合には「再生開始」、「停止」などの音声コマンドを発することにより再生制御を行うなどが挙げられる。
【００２９】
［１−３．効果等］
以上のように、本実施の形態において、端末装置１００は、タッチ操作検出部１１、音声操作受付部１２、把持状態検出部１３、制御部１４、表示部１５を備える。
【００３０】
タッチ操作検出部１１は、表示部１５に設置されたタッチセンサへのユーザからのタッチ操作を検出する。音声操作受付部１２は、ユーザからの音声操作を受け付ける。把持状態検出部１３は、ユーザによる端末装置１００の把持状態を検出する。制御部１４は、タッチ操作および音声操作に基づく処理を実行するとともに、ユーザによる端末装置１００の把持状態に基づいて、音声操作受付部１２によるユーザからの音声操作の受け付けを制御する。
【００３１】
また制御部１４は、ユーザが端末装置１００を両手で把持している状態と検出された場合、ユーザからの音声操作を受け付ける様に音声操作受付部１２を制御し、ユーザが端末装置１００を両手で把持していない状態と検出された場合、ユーザからの音声操作を受け付けない様に音声操作受付部１２を制御する。
【００３２】
これにより、ユーザによる端末装置の把持状態に基づいて、ユーザからの音声操作の受け付けを制御することにより、ユーザが意図しない音声操作に基づく処理の実行を軽減しつつ、操作性・ユーザ利便性を向上することができる。
【００３３】
（実施の形態２）
［２−１．構成］
図６は、実施の形態２に係る端末装置の構成を示すブロック図である。
【００３４】
図７は、実施の形態２に係る端末装置が外部装置に接続された状態の外観（前面）を示す図である。
【００３５】
図８は、実施の形態２に係る端末装置が外部装置から外された状態の外観（背面）を示す図である。
【００３６】
図６において、端末装置１０１は、タッチ操作検出部１１、音声操作受付部１２、制御部１４、表示部１５、接続状態検出部１６を備える。また、端末装置１０１は、外部装置２００と着脱可能になっている。端末装置１０１が、図１に示す端末装置１００と異なる点は、把持状態検出部１３に代えて、端末装置１０１と外部装置２００との接続状態を検出する接続状態検出部１６を備える点である。以下、図１に示す端末装置１００と異なる点を中心に説明を行う。
【００３７】
接続状態検出部１６は、例えば端末装置１０１と外部装置２００とを接続するコネクタであり、端末装置１０１と外部装置２００との接続状態を検出し、検出結果を制御部１４に送信する。
【００３８】
制御部１４は、接続状態検出部１６からの端末装置１０１と外部装置２００との接続状態に基づいて、音声操作受付部１２によるユーザからの音声操作の受け付けを制御する。より具体的には、制御部１４は、端末装置１０１と外部装置２００とが接続されている状態と検出された場合、ユーザからの音声操作を受け付ける様に音声操作受付部１２を制御し、音声操作受付部１２がユーザからの音声操作を受け付けると、音声操作に基づき生成された操作コマンドを実行する。一方、制御部１４は、端末装置１０１と外部装置２００とが接続されていない状態と検出された場合、ユーザからの音声操作を受け付けない様に音声操作受付部１２を制御する。
【００３９】
外部装置２００は、例えば端末装置１０１の設置台である。端末装置１０１を外部装置２００に接続することにより、端末装置１０１の充電などを行うことができる。あるいは、外部装置２００は、端末装置１０１を接続することにより、端末装置１０１が有するコンテンツのビューワとして視聴を可能にする、あるいは、外部装置２００は、スピーカを備え、端末装置１０１を接続することにより、端末装置１０１が有する音楽の視聴を可能にする。
【００４０】
［２−２．動作］
以上のように構成された端末装置１０１について、その動作を以下に説明する。
【００４１】
図９は、実施の形態２に係る端末装置の動作を説明するためのフローチャートである。
【００４２】
接続状態検出部１６は、端末装置１０１と外部装置２００との接続状態を検出し、検出結果を制御部１４に送信する（ステップＳ９１）。
【００４３】
制御部１４は、接続状態検出部１６からの端末装置１０１と外部装置２００との接続状態に基づいて、音声操作受付部１２によるユーザからの音声操作の受け付けを制御する。より具体的には、制御部１４は、端末装置１０１と外部装置２００とが接続されている状態と検出された場合（ステップＳ９２でＹｅｓ）、ユーザからの音声操作を受け付ける様に音声操作受付部１２を制御し（ステップＳ９３）、音声操作受付部１２がユーザからの音声操作を受け付けると、音声操作に基づき生成された操作コマンドを実行する。
【００４４】
制御部１４は、ユーザが端末装置１００と外部装置２００とが接続されている場合、ユーザはタッチ操作検出部１１へのタッチ操作を行いにくい状態にあると判断するため、ユーザからの音声操作を受け付ける様に音声操作受付部１２を制御する（ステップＳ９３）。
【００４５】
一方、制御部１４は、端末装置１０１と外部装置２００とが接続されていない状態と検出された場合（ステップＳ９２でＮｏ）、ユーザからの音声操作を受け付けない様に音声操作受付部１２を制御する（ステップＳ９４）。
【００４６】
制御部１４は、ユーザが端末装置１００と外部装置２００とが接続されていない場合、ユーザはタッチ操作検出部１１へのタッチ操作を容易に行える状態にあると判断するため、ユーザからの音声操作を受け付けない様に音声操作受付部１２を制御する（ステップＳ９４）。
【００４７】
なお、本実施の形態における端末装置１０１の動作の具体例としては、動画コンテンツの再生制御操作において、端末装置１０１と外部装置２００とが接続されていない場合には、タッチ操作で「再生」、「停止」などの再生制御を行い、端末装置１０１と外部装置２００と接続されている場合には、「再生開始」、「停止」などの音声コマンドを発することにより再生制御を行うなどが挙げられる。
【００４８】
なお、本実施の形態において、端末装置１０１と外部装置２００との接続状態に基づいて、音声操作受付部１２によるユーザからの音声操作の受け付けを制御することとしたが、これに限定するものではない。例えば、端末装置１０１が端末装置１０１本体背面に折り畳み式の縦置きスタンドを有するような形状であれば、当該縦置きスタンドの設置状態（スタンドの出し入れ状態）に基づいて、音声操作受付部１２によるユーザからの音声操作の受け付けを制御することとしてもよい。
【００４９】
［２−３．効果等］
以上のように、本実施の形態において、端末装置１０１は、タッチ操作検出部１１、音声操作受付部１２、制御部１４、表示部１５、接続状態検出部１６を備える。
【００５０】
タッチ操作検出部１１は、表示部１５に設置されたタッチセンサへのユーザからのタッチ操作を検出する。音声操作受付部１２は、ユーザからの音声操作を受け付ける。接続状態検出部１６は、端末装置１０１と外部装置２００との接続状態を検出する。制御部１４は、タッチ操作および音声操作に基づく処理を実行するとともに、端末装置１０１と外部装置２００との接続状態に基づいて、音声操作受付部１２によるユーザからの音声操作の受け付けを制御する。
【００５１】
また、制御部１４は、端末装置１０１と外部装置２００とが接続されている状態と検出された場合、ユーザからの音声操作を受け付ける様に音声操作受付部１２を制御し、端末装置１０１と外部装置２００とが接続されていない状態と検出された場合、ユーザからの音声操作を受け付けない様に音声操作受付部１２を制御する。
【００５２】
これにより、端末装置と外部装置の接続状態に基づいて、ユーザからの音声操作の受付を制御することにより、ユーザが意図しない音声操作に基づく処理の実行を軽減しつつ、操作性・ユーザ利便性を向上することができる。
【００５３】
（実施の形態３）
［３−１．構成］
図１０は、実施の形態３に係る端末装置の構成を示すブロック図である。
【００５４】
図１１は、実施の形態３に係る端末装置の外観および使用イメージを示す図である。
【００５５】
図１０において、端末装置１０２は、タッチ操作検出部１１、音声操作受付部１２、制御部１４、表示部１５、距離算出部１７を備える。端末装置１０２が、図１に示す端末装置１００と異なる点は、把持状態検出部１３に代えて、端末装置１０１とユーザの距離を算出する距離算出部１７を備える点である。以下、図１に示す端末装置１００と異なる点を中心に説明を行う。
【００５６】
距離算出部１７は、例えばユーザを撮像し、撮像したユーザの顔の大きさなどから端末装置１０２とユーザとの距離を算出可能なカメラであり、端末装置１０２とユーザとの距離を算出し、算出結果を制御部１４に送信する。
【００５７】
制御部１４は、距離算出部１７からの端末装置１０２とユーザとの距離に基づいて、音声操作受付部１２によるユーザからの音声操作の受け付けを制御する。より具体的には、制御部１４は、端末装置１０２とユーザとが所定の距離以上離れていると算出された場合、ユーザからの音声操作を受け付ける様に音声操作受付部１２を制御し、音声操作受付部１２がユーザからの音声操作を受け付けると、音声操作に基づき生成された操作コマンドを実行する。一方、制御部１４は、端末装置１０２とユーザとが所定の距離以上離れていないと算出された場合、ユーザからの音声操作を受け付けない様に音声操作受付部１２を制御する。
【００５８】
［３−２．動作］
以上のように構成された端末装置１０２について、その動作を以下に説明する。
【００５９】
図１２は、実施の形態３に係る端末装置の動作を説明するためのフローチャートである。
【００６０】
距離算出部１７は、端末装置１０２とユーザとの距離を算出し、算出結果を制御部１４に送信する（ステップＳ１２１）。
【００６１】
制御部１４は、距離算出部１７からの端末装置１０２とユーザとの距離に基づいて、音声操作受付部１２によるユーザからの音声操作の受け付けを制御する。より具体的には、制御部１４は、端末装置１０２とユーザとが所定の距離以上離れていると算出された場合（ステップＳ１２２でＹｅｓ）、ユーザからの音声操作を受け付ける様に音声操作受付部１２を制御し（ステップＳ１２３）、音声操作受付部１２がユーザからの音声操作を受け付けると、音声操作に基づき生成された操作コマンドを実行する。
【００６２】
制御部１４は、端末装置１０２とユーザとが所定の距離以上離れていると算出された場合（ステップＳ１２２でＹｅｓ）、ユーザは手を使ってのタッチ操作検出部１１へのタッチ操作を行いにくい状態にあると判断するため、ユーザからの音声操作を受け付ける様に音声操作受付部１２を制御する（ステップＳ１２３）。このとき、図１１に示すように、表示部１５上に、音声操作を受け付け可能であることを示すアイコン１８を表示してもよい。
【００６３】
一方、制御部１４は、端末装置１０２とユーザとが所定の距離以上離れていないと算出された場合（ステップＳ１２２でＮｏ）、ユーザからの音声操作を受け付ける様に音声操作受付部１２を制御する（ステップＳ１２４）。
【００６４】
制御部１４は、ユーザが端末装置１０２とユーザとが所定の距離以上離れていない場合、ユーザはタッチ操作検出部１１へのタッチ操作を容易に行える状態にあると判断するため、ユーザからの音声操作を受け付けない様に音声操作受付部１２を制御する（ステップＳ１２４）。
【００６５】
なお、本実施の形態における端末装置１０２の動作の具体例としては、動画コンテンツの再生制御操作において、端末装置１０２とユーザとが所定の距離離れていない場合には、タッチ操作で「再生」、「停止」などの再生制御を行い、端末装置１０２とユーザとが所定の距離離れている場合には、「再生開始」「停止」などの音声コマンドを発することにより再生制御を行うなどが挙げられる。
【００６６】
［３−３．効果等］
以上のように、本実施の形態において、端末装置１０２は、タッチ操作検出部１１、音声操作受付部１２、制御部１４、表示部１５、距離算出部１７を備える。
【００６７】
タッチ操作検出部１１は、表示部１５に設置されたタッチセンサへのユーザからのタッチ操作を検出する。音声操作受付部１２は、ユーザからの音声操作を受け付ける。距離算出部１７は、端末装置１０２とユーザとの距離を算出する。制御部１４は、タッチ操作および音声操作に基づく処理を実行するとともに、端末装置１０２とユーザとの距離に基づいて、音声操作受付部１２によるユーザからの音声操作の受付を制御する。
【００６８】
また、制御部１４は、端末装置１０２とユーザとが所定の距離以上離れていると算出された場合、ユーザからの音声操作を受け付ける様に音声操作受付部１２を制御し、端末装置１０２とユーザとが所定の距離以上離れていないと算出された場合、ユーザからの音声操作を受け付けない様に音声操作受付部１２を制御する。
【００６９】
これにより、端末装置とユーザとの距離に基づいて、ユーザからの音声操作の受け付けを制御することにより、ユーザが意図しない音声操作に基づく処理の実行を軽減しつつ、操作性・ユーザ利便性を向上することができる。
【００７０】
以上のように、本開示における技術の例示として、実施の形態を説明した。そのために、添付図面および詳細な説明を提供した。
【００７１】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、上述の実施の形態は、本開示における技術を例示するためのものであるから、特許請求の範囲またはその均等の範囲において種々の変更、置き換え、付加、省略などを行うことができる。
【産業上の利用可能性】
【００７３】
本開示は、音声操作制御技術として有用である。
【符号の説明】
【００７４】
１１    タッチ操作検出部
１２    音声操作受付部
１３    把持状態検出部
１４    制御部
１５    表示部
１６    接続状態検出部
１７    距離算出部
１８    アイコン
１００、１０１、１０２  端末装置
２００  外部装置
【図１】
2015191448.tif 000003
【図２】
2015191448.tif 000004
【図３】
2015191448.tif 000005
【図４】
2015191448.tif 000006
【図５】
2015191448.tif 000007
【図６】
2015191448.tif 000008
【図７】
2015191448.tif 000009
【図８】
2015191448.tif 000010
【図９】
2015191448.tif 000011
【図１０】
2015191448.tif 000012
【図１１】
2015191448.tif 000013
【図１２】
2015191448.tif 000014